(57)【要約】      （修正有）【課題】長年の使用に耐えられるべく薄くても強度に優れると共に、燃焼しても環境や人体に影響を与えることなく廃棄でき、簡単に文字等を書き消しすることができるため何回も繰り返して使用できるファイルを提供する。【解決手段】ファイル本体３は、セルロースフィルム、和紙、用紙、クラフト紙等の紙類からなる基材３ａと、該基材３ａの表面にコーティング処理されたガラスコート処理膜３ｂとの二層構造を有する。この二層構造の紙材としては、例えば、透明なセルロースフィルムからなる基材３ａの表面に、シロキサン結合からなるガラス質の薄膜（シロキサンコート処理膜）を施してなる超越紙を用いるのが良い。その表面には耐水性、透光性のみならず剥離性も付与される。【選択図】 図３
0003142221.tif 000002
【実用新案登録請求の範囲】
【請求項１】
所定大きさの書類を着脱自在に保持せしめるファイル本体及び／又は綴り具を備えてなるファイルにおいて、
前記ファイル本体は、セルロースフィルム、和紙、用紙、クラフト紙等の紙類からなる基材と、該基材の表面に施されたコート処理膜との二層構造を有することを特徴とするファイル。
【請求項２】
前記ファイル本体は、透明若しくは半透明なセルロースフィルムにシロキサンコート処理を施してなる超越紙で成形されていること特徴とする請求項１に記載のファイル。
【請求項３】
前記コート処理膜は、アルコキシシランからなる主剤と、加水分解可能な有機金属化合物である触媒及び混合溶剤とを攪拌・混合してなるコート液を前記基材に塗布若しくは浸漬してなることを特徴とする請求項１に記載のファイル。
【考案の詳細な説明】
【技術分野】
【０００１】
本考案は、主として紙類の表面にガラス質のコート処理膜を施してなるファイルやフォルダー(以下、単にファイルという)に関し、更に詳しくは、従来汎用されているプラスチック成型品に代わって長年の使用に耐えられる他、表面に文字を自由に書き込み又は印刷することができるのみならず、簡単にその文字を消すことができるため、何回も繰り返して使用できる有用なファイルに関する。
【背景技術】
【０００２】
従来、斯かるファイルとしては、一枚のプラスチックシートを二つ折りにし、折り曲げ部を介して形成された一対のシートを有するファイル本体を備え、前記両シート間に書類を収容するファイルであって、前記ファイル本体は、その下辺における前記折り曲げ部側近くのみが溶着等で接合されていると共に、前記接合された接合部位以外の下辺と、上辺及び前記折り曲げ部と対向する側辺は開放され、前記ファイル本体は、前記一方又は両方のシートの前記側辺部側に位置させて、前記両シート間に収容される書類の側辺部側を押える押え用係合舌片を備えている。
【特許文献１】特開２００８−１２７８５号公報
【考案の開示】
【考案が解決しようとする課題】
【０００３】
しかしながら、上述した従来のファイルにあっては、塩化ビニールやポリプロピレン等のプラスチックシートを素材として使用しているため、その廃棄処理にあっては、特に、ポリ塩化ビニール（ＰＶＣ）製の場合は、燃焼すると有害なる塩素ガスやダイオキシンを発生させ、環境や人体に悪い影響を与えてしまうことが社会的問題となっている。
【０００４】
更に、ファイル本体の強度を確保する手段として、ファイル本体を肉厚にすることが考えられるが、その場合はファイル自体が重くなってしまうため、昨今では、薄くても強度に優れたファイルが要望されている。
【０００５】
また、一旦、使用されたファイルは、特に、表表紙や背表紙にファイル項目、部署名、会社名等が書き込まれたファイルにあっては、それらを簡単に消すことができないため、使い捨てにされているのが現状である。
【０００６】
本考案は斯かる問題点及び要望に鑑みてなされたもので、従来汎用されているプラスチック成型品に代わり、長年の使用に耐えられるべく薄くても強度に優れると共に、燃焼しても環境や人体に影響を与えることなく簡単に廃棄でき、更には、簡単に文字等を書き消しすることができるため何回も繰り返して使用できる有用なファイルを提供することを目的とするものである。
【課題を解決するための手段】
【０００７】
上述の如き従来の問題点を解決し、所期の目的を達成するため本考案の要旨とする構成は、所定大きさの書類を着脱自在に保持せしめるファイル本体及び／又は綴り具を備えてなるファイルにおいて、前記ファイル本体は、セルロースフィルム、和紙、用紙、クラフト紙等の紙類からなる基材と、該基材の表面に施されたコート処理膜との二層構造を有するファイルに存する。
【０００８】
前記ファイル本体は、透明若しくは半透明なセルロースフィルムにシロキサンコート処理を施してなる超越紙で成形するのが良い。
【０００９】
また、前記コート処理膜は、アルコキシシランからなる主剤と、加水分解可能な有機金属化合物である触媒及び混合溶剤とを攪拌・混合してなるコート液を前記基材に塗布若しくは浸漬して表面処理するのが良い。
【考案の効果】
【００１０】
本考案は上述のように構成され、基材の特性を活かしつつ、耐久性、耐水性、耐油性、耐摩耗性、耐縮性、耐汚染性、剥離性、透光性を付加できるため、従来汎用されている塩化ビニール（ＰＶＣ）等のプラスチック成型品に代わり、長年の使用に耐え、色褪せや湿気による型くずれを起こさない、所謂、経年変化に強い有用なファイルを提供でき、また、燃焼しても、有害なる塩素ガスやダイオキシンを発生させることがないため、環境や人体に対して安全性が高く、安心して使用できるといった効果を奏する。
【００１１】
更に、表面に文字等を自由に書き込み又は印刷することができるのみならず、簡単にその文字等を消すことができるため(剥離性)、何回も繰り返して使用できるなど、本考案を実施することはその実益的価値が甚だ大である。
【考案を実施するための最良の形態】
【００１２】
セルロースフィルム、和紙、クラフト紙等の紙類からなる基材と、該基材の表面に施されたコート処理膜との二層構造になし、延いては、透明若しくは半透明なセルロースフィルムにシロキサンコート処理を施してなる超越紙でファイルを成形するのが良い。
【実施例１】
【００１３】
次に、本考案の実施の一例を図面を参照しながら説明する。図中Ａは、本考案に係るファイルの第１実施例であり、このファイルＡは、図１に示すように、所定大きさの表表紙１と裏表紙２とを有するファイル本体３を備えている。
【００１４】
ファイル本体３は、図２(ｂ)に示すように、セルロースフィルム、和紙、用紙、クラフト紙等の紙類からなる基材３ａと、該基材３ａの表面にコーティング処理されたガラスコート処理膜３ｂとの二層構造を呈している。
【００１５】
この二層構造の紙材としては、例えば、透明なセルロースフィルムからなる基材３ａの表面に、シロキサン結合からなるガラス質の薄膜（シロキサンコート処理膜）を施してなる超越紙を用いるのが良い。なぜなら透光性が付加されるため、従来のガラスや透明なプラスチック製ファイルに代用できるからである。
【００１６】
また、前記ガラスコート処理膜３ｂは、ガラス化のコーティング処理からなり、例えば、適宜前処理を施してなる基材３ａの表面にコート液を噴霧、刷毛、ロール等により塗布したり、コート液（コーティング処理剤）内に浸漬して加温処理されるものである。
【００１７】
具体的には、アルコキシシランからなる主剤と、触媒及び混合溶剤とを攪拌・混合してなるコート液を調合し、然る後、基材３ａに塗布して加温処理することにより、表面にシロキサン結合からなるガラス質の薄膜（コーティング処理膜）が生成される。
【００１８】
因に、この標準的処理条件としては、例えば、本コート液を基材３ａに塗布して撥水コートを施し、塗布後、室温で１０分程乾燥し、その後、１２０℃で更に１０分程加温するものであるが、斯かる撥水性に合わせて、機械的強度や難燃性も付与され、引張強度の向上も認められるものである。
【００１９】
通常、所謂ゾルーゲル法を利用し、ガラス質の薄膜をコートする場合、その反応液中に多量の水分が存在するため、その水分が原因となって紙類（基材）を変形させることが危惧される。
【００２０】
而して、本実施例で使用されるガラス質のコート液は、前記触媒に、加水分解可能な有機金属化合物を使用するため、コート液中に反応水を加えなくても、アルコキシシランが基材１ａの表面にコーティングされる。
【００２１】
斯かる触媒の作用で、紙類の表面の水分や大気中の湿気と反応し、最終的にシロキサン結合からなるガラス質の薄膜（約１〜数十μｍの厚さ）をコートすることができる。
【００２２】
このようなシロキサン結合のエネルギーは、Ｓｉ−Ｏ＝１０６ｋｃａｌ／ｍｏｌであるのに対し、典型的な有機化合物の結合エネルギーが、Ｃ−Ｃ＝８２．６ｋｃａｌ／ｍｏｌであることにより、斯かるシロキサン結合を有するガラス質のコート膜（コーティング処理膜）４は、有機化合物に比し、はるかに熱的に安定している。
【００２３】
従って、斯かる熱的安定性が、基材３ａに、耐水性、耐油性、硬度、絶縁性、剥離性、透光性、耐久性、耐摩耗性、耐縮性、耐汚染性を付与するものであり、後述するように、自然で、安全性に優れた新素材を提供できるものである。
【００２４】
尚、このコーティング処理は、ファイルＡを成形する前の段階で処理しても良いものであるが、これに限定されることなく、事後的に、すなわち、所定形状に成形した後に施しても良い。
【００２５】
このように構成される本考案のファイルＡは、基材３ａの特性を活かしつつ、耐水性、耐油性、耐久性、透光性、絶縁性などが付加されるため、従来汎用されている塩化ビニール（ＰＶＣ）等のプラスチック成型品に代わり、長年の使用に耐え、色褪せや湿気による型くずれを起こさない、所謂、経年変化に強い有用なファイルを提供できるものであり、また、燃焼しても、有害なる塩素ガスやダイオキシンを発生させることがないため、環境や人体に対して安全性が高く、安心して使用できるのである。
【００２６】
また、図４に示されるファイルにあっては、使用目的に応じて表面に表題、ファイル項目、会社名等の文字が書き込み又は印刷されるが、表面にはガラスコート処理膜３ｂがコーティングされていることで剥離性が付与されるため、簡単にその文字等を消したり或いは張り直したりすることができることとなり、その結果、同じファイルを何回も繰り返して使用できるといった利点をも有するのである。
【００２７】
尚、本考案のファイルＡは、本実施例に限定されることなく、本考案の目的の範囲内で自由に設計変更し得るものであり、本考案はそれらの全てを包摂するものである。例えば、本実施例では、前記ファイル本体３を基材３ａとガラスコート処理膜３ｂとの二層構造について説明しているが、これに限定されることなく、斯かる二層構造を有することを条件（必須構成要件）として、使用目的に応じ三層、四層等の多層構造にしても良い。
【００２８】
また、本実施例では、基材３ａとしてセルロースフィルムを使用するのが好ましいが、これに限定されることなく、用途や使用目的に応じて和紙、用紙、クラフト紙等の紙類を使用しても良い。
【００２９】
更に、基材３ａとなる紙の種類や繊維の長さ、コーティング処理剤の濃度や配合比の変化で、様々な効果や機能が得られ、特に、その無公害性や加工のし易さ並びに再生可能性は、単に紙類の領域にとどまらず塩化ビニールやポリカーボネート等の代替品としての可能性も多大であり、エコロジーという地球全体の中で、環境に優しい新素材のファイルを提供できるものである。
【００３０】
しかも、紙類にガラスコート処理膜３ｂを施してなるファイルは、そのガラス質が非常に薄いため、紙類として再生が可能であり、廃棄しても自然に紙類とガラス質に分離・分解してしまうため、使用後、焼却、再生、廃棄のいかなる形態においても、環境に大きな負担を与えることがない。
【図面の簡単な説明】
【００３１】
【図１】本考案に係るファイルの第１実施例を示す斜視図である。
【図２】図２(ａ)は同ファイルの展開図、図２(ｂ)は同ファイルの要部断面図である。
【図３】図３(ａ)は同ファイルの第２実施例を示す説明図、図３(ｂ)は同横断面図である。
【図４】図４(ａ)は同ファイルの第３実施例、図４(ｂ)は同ファイルの第４実施例を示す説明図である。
【符号の説明】
【００３２】
１  表表紙
２  裏表紙
３  ファイル本体
３ａ  基材
３ｂ  ガラスコート処理膜
【図１】
0003142221.tif 000003
【図２】
0003142221.tif 000004
【図３】
0003142221.tif 000005
【図４】
0003142221.tif 000006